(57)【要約】【課題】反発性能を低下させることなく重量配分設計が可能なゴルフクラブヘッドを提供する。【解決手段】内部に中空部ｉを具えたヘッド本体１０と、ヘッド本体１０よりも大きい比重を有する錘部材１１とを含むゴルフクラブヘッド１である。ヘッド本体１０は、ボールを打撃するフェース部２、及び、フェース部２に連なりヘッド底面を形成するソール部４を有する。錘部材１１は、中空部ｉに配されて、トウ・ヒール方向にのびている。スイートスポットＳＳを含むヘッド縦断面において、錘部材１１は、フェース部２及びソール部４と接触することなく設けられている。【選択図】図２
2015062667.tif 000002
【特許請求の範囲】
【請求項１】
内部に中空部を具えたゴルフクラブヘッドであって、
ヘッド本体と、前記ヘッド本体の前記中空部に配された錘部材とを具え、
前記ヘッド本体は、ボールを打撃するフェース部、及び、前記フェース部に連なりヘッド底面を形成するソール部を有し、
前記錘部材は、トウ・ヒール方向にのびており、
スイートスポットを含むヘッド縦断面において、前記錘部材は、前記フェース部及び前記ソール部と接触することなく設けられていることを特徴とするゴルフクラブヘッド。
【請求項２】
前記ヘッド縦断面において、前記錘部材は、前記フェース部と前記ソール部とのコーナ部側に寄せて設けられている請求項１記載のゴルフクラブヘッド。
【請求項３】
前記ヘッド縦断面において、前記錘部材の横断面の図心は、ヘッド重心よりも前記フェース部側に位置している請求項１又は２記載のゴルフクラブヘッド。
【請求項４】
前記ヘッド縦断面において、前記錘部材の横断面の図心は、ヘッド重心よりも前記ソール部側に位置している請求項１乃至３のいずれかに記載のゴルフクラブヘッド。
【請求項５】
前記ヘッド縦断面において、前記錘部材の横断面の全体が、ヘッド重心よりも前記ソール部側かつ前記フェース部側に位置している請求項１乃至４のいずれかに記載のゴルフクラブヘッド。
【請求項６】
前記錘部材は、前記ヘッド縦断面を含んでトウ・ヒール方向に前記ソール部から離されている請求項１乃至５のいずれかに記載のゴルフクラブヘッド。
【請求項７】
前記錘部材は、そのトウ側及びヒール側が、前記ヘッド本体に固定されている請求項１乃至６のいずれかに記載のゴルフクラブヘッド。
【請求項８】
前記ヘッド本体は、前記フェース部に連なりヘッド上面を形成するクラウン部と、前記クラウン部と前記ソール部との間をつなぐサイド部とをさらに含み、
前記錘部材は、トウ側の端部とヒール側の端部とを含み、
前記トウ側の端部は、前記サイド部のトウ側に固着されており、
前記ヒール側の端部は、前記サイド部のヒール側に固着されている請求項７に記載のゴルフクラブヘッド。
【請求項９】
前記錘部材は、トウ側の端部とヒール側の端部とを含み、
前記トウ側の端部は、前記ソール部のトウ側に固着されており、
前記ヒール側の端部は、前記ソール部のヒール側に固着されている請求項７に記載のゴルフクラブヘッド。
【請求項１０】
前記錘部材は、前記ヘッド本体にネジで固着されている請求項１乃至９のいずれかに記載のゴルフクラブヘッド。
【請求項１１】
前記錘部材と前記ヘッド本体とは、鋳造で一体に成形されている請求項１乃至１０のいずれかに記載のゴルフクラブヘッド。
【請求項１２】
前記錘部材の横断面は、トウ側及びヒール側から中央部側に向かって大きくなっている請求項１乃至１１のいずれかに記載のゴルフクラブヘッド。
【請求項１３】
ヘッド前後方向、ヘッド上下方向及びトウ・ヒール方向のいずれか１方向で、前記錘部材の位置を変える調節手段を含む請求項１乃至１２のいずれかに記載のゴルフクラブヘッド。
【請求項１４】
ヘッド前後方向、ヘッド上下方向及びトウ・ヒール方向のいずれか２方向で、前記錘部材の位置を変える調節手段を含む請求項１乃至１２のいずれかに記載のゴルフクラブヘッド。
【請求項１５】
前記錘部材は、前記ヘッド本体に溶接で固着されている請求項１乃至９のいずれかに記載のゴルフクラブヘッド。
【発明の詳細な説明】
【技術分野】
【０００１】
本発明は、ヘッド本体と錘部材とを具えたゴルフクラブヘッドに関し、詳しくは、反発性能を低下させることなく重量配分設計が可能なゴルフクラブヘッドに関する。
【背景技術】
【０００２】
下記特許文献１は、カップ状のフェース部材と、これに接合されるヘッド本体とを含む中空のゴルフクラブヘッドを開示している。ヘッド本体のソール部には、トウ・ヒール方向にのびる舌状の錘部材が固着されている。この錘部材は、フェース部材の内側のキャビティに位置するように前側にのびている。このヘッドは、フェース側かつソール側にヘッド重心を提供することができる。
【先行技術文献】
【特許文献】
【０００３】
【特許文献１】米国特許第８３２８６６１号明細書
【発明の概要】
【発明が解決しようとする課題】
【０００４】
しかしながら、上述のヘッドは、トウ・ヒール方向にのびている錘部材が、ソール部の内面に固着されているため、ソール部が高い曲げ剛性を有する。このため、上述のヘッドは、ボール打撃時、ヘッド本体が十分に撓み難く、反発性能を損ねるという問題があった。
【０００５】
本発明は、以上のような問題点に鑑み、案出なされたもので、反発性能を低下させることなく重量配分設計が可能なゴルフクラブヘッドを提供することを主たる目的としている。
【課題を解決するための手段】
【０００６】
本発明は、内部に中空部を具えたゴルフクラブヘッドであって、ヘッド本体と、前記ヘッド本体の前記中空部に配された錘部材とを具え、前記ヘッド本体は、ボールを打撃するフェース部、及び、前記フェース部に連なりヘッド底面を形成するソール部を有し、
前記錘部材は、トウ・ヒール方向にのびており、スイートスポットを含むヘッド縦断面において、前記錘部材は、前記フェース部及び前記ソール部と接触することなく設けられていることを特徴としている。
【０００７】
本発明に係る前記ゴルフクラブヘッドの前記ヘッド縦断面において、前記錘部材は、前記フェース部と前記ソール部とのコーナ部側に設けられているのが望ましい。
【０００８】
本発明に係る前記ゴルフクラブヘッドの前記ヘッド縦断面において、前記錘部材の横断面の図心は、ヘッド重心よりも前記フェース部側に位置しているのが望ましい。
【０００９】
本発明に係る前記ゴルフクラブヘッドの前記ヘッド縦断面において、前記錘部材の横断面の図心は、ヘッド重心よりも前記ソール部側に位置しているのが望ましい。
【００１０】
本発明に係る前記ゴルフクラブヘッドの前記ヘッド縦断面において、前記錘部材の横断面の全体が、ヘッド重心よりも前記ソール部側かつ前記フェース部側に位置しているのが望ましい。
【００１１】
本発明に係る前記ゴルフクラブヘッドにおいて、前記錘部材は、トウ・ヒール方向に連続して前記ソール部から離されているのが望ましい。
【００１２】
本発明に係る前記ゴルフクラブヘッドにおいて、前記錘部材は、そのトウ側及びヒール側が、前記ヘッド本体に固定されているのが望ましい。
【００１３】
本発明に係る前記ゴルフクラブヘッドにおいて、前記ヘッド本体は、前記フェース部に連なりヘッド上面を形成するクラウン部と、前記クラウン部と前記ソール部との間をつなぐサイド部とをさらに含み、前記錘部材は、トウ側の端面とヒール側の端面とを含み、前記トウ側の端面は、前記サイド部のトウ側に固着されており、前記ヒール側の端面は、前記サイド部のヒール側に固着されているのが望ましい。
【００１４】
本発明に係る前記ゴルフクラブヘッドにおいて、前記錘部材は、トウ側の端部とヒール側の端部とを含み、前記トウ側の端部は、前記ソール部のトウ側に固着されており、前記ヒール側の端部は、前記ソール部のヒール側に固着されているのが望ましい。
【００１５】
本発明に係る前記ゴルフクラブヘッドにおいて、前記錘部材は、前記ヘッド本体にネジで固着されても良い。
【００１６】
本発明に係る前記ゴルフクラブヘッドにおいて、前記錘部材と前記ヘッド本体とは、鋳造で一体に成形されても良い。
【００１７】
本発明に係る前記ゴルフクラブヘッドにおいて、前記錘部材の横断面は、トウ側及びヒール側から中央部側に向かって大きくなっているのが望ましい。
【００１８】
本発明に係る前記ゴルフクラブヘッドは、ヘッド前後方向、ヘッド上下方向及びトウ・ヒール方向のいずれか１方向で、前記錘部材の位置を変える調節手段を含むことができる。
【００１９】
本発明に係る前記ゴルフクラブヘッドは、ヘッド前後方向、ヘッド上下方向及びトウ・ヒール方向のいずれか２方向で、前記錘部材の位置を変える調節手段を含むことができる。
【００２０】
本発明に係る前記ゴルフクラブヘッドにおいて、前記錘部材は、前記ヘッド本体に溶接で固着されても良い。
【発明の効果】
【００２１】
本発明のゴルフクラブヘッドは、内部に中空部を具えたヘッド本体と、ヘッド本体よりも大きい比重を有する錘部材とを含んでいる。錘部材は、ヘッド本体の中空部に配されて、トウ・ヒール方向にのびている。スイートスポットを含むヘッド縦断面においては、錘部材は、フェース部及びソール部と接触することなく設けられている。従って、例えば、スイートスポットでボールを打撃した場合、フェース部及びソール部は、柔軟に撓むことができ、ひいては、優れた反発性能が期待できる。
【図面の簡単な説明】
【００２２】
【図１】本発明のゴルフクラブヘッドの全体斜視図である。
【図２】図１のヘッドの縦断面図である。
【図３】ヘッド本体を構成する後側部材の斜視図である。
【図４】図３の後側部材の正面図である
【図５】本発明の他の実施形態を示すヘッド本体の後側部分の分解斜視図である。
【図６】図５の断面図である。
【図７】本発明のさらに他の実施形態を示すヘッド本体の後側部分の断面図である。
【図８】比較例のヘッドの断面図である。
【図９】本発明のさらに他の実施形態を示すヘッド本体の部分斜視図である。
【図１０】図９のＡ−Ａ断面図である。
【図１１】本発明のさらに他の実施形態を示すヘッド本体の部分斜視図である。
【図１２】図１１のＡ−Ａ断面図である。
【発明を実施するための形態】
【００２３】
以下、本発明のいくつかの実施形態が図面に基づき説明される。全ての実施形態を通して、同一乃至共通する部材については、同じ符号が付されている。
【００２４】
図１には、本実施形態のゴルフクラブヘッド（以下、単に「ヘッド」ということがある。）１の斜視図が示されている。ヘッド１は、内部の中空部ｉを画定するように、フェース部２、クラウン部３、ソール部４、サイド部５を含んでいる。
【００２５】
フェース部２は、ボールの打撃面であるフェース２ａを有している。クラウン部３は、フェース部２に連なりヘッド上面を形成している。ソール部４は、フェース部２に連なりヘッド底面を形成している。サイド部５は、クラウン部３とソール部４との間をつないでいる。このサイド部５のトウ側及びヒール側は、それぞれフェース部２に接続されている。クラウン部３のヒール側には、ホーゼル部６が設けられている。ホーゼル部６は、シャフト（図示省略）が固定可能なように、シャフト差込孔６ａを有した筒状である。
【００２６】
本実施形態のヘッド１は、ウッド型のものが示されている。ウッド型のヘッドは、少なくともドライバー（＃１）、ブラッシー（＃２）、スプーン（＃３）、バフィ（＃４）及びクリーク（＃５）を含んでいる。加えて、ウッド型のヘッドは、先に列挙されたものと番手又は名称が異なっていても、略類似した形状を持つヘッドを含む。他の実施形態では、ヘッド１はユーティリティー型に構成され得る。
【００２７】
図２には、図１のＡ−Ａ断面図が示されている。この断面図は、スイートスポットＳＳを含むヘッド縦断面である。スイートスポットＳＳとは、ヘッド重心Ｇからフェース２ａに下ろした垂線Ｎの足である。縦断面とは、ヘッド１が規定のライ角及びロフト角及びフック角で水平面ＨＰに置かれた基準状態において、前記垂線Ｎを含み水平面ＨＰと直角な断面のことである。「規定のライ角」及び「規定のロフト角」は、当該ヘッド１に定められたライ角及びロフト角である。
【００２８】
ヘッド１は、ヘッド本体１０と、錘部材１１とを含んで作られている。
【００２９】
ヘッド本体１０は、前記したフェース部２、クラウン部３、ソール部４、サイド部５及びホーゼル部６を全て含んでおり、中空部ｉを囲んでいる外殻の部分である。本実施形態のヘッド本体１０は、例えば、金属材料で形成されている。この金属材料として、例えば、ステンレス、マレージング鋼、チタン合金、マグネシウム合金又はアルミニウム合金が採用され得る。ヘッド本体１０は、繊維強化樹脂で作られても良い。
【００３０】
ヘッド本体１０は、例えば、前側部分１０ａと、後側部分１０ｂとから構成されている。ヘッド１において、前側は、フェース２ａ側の意であり、後側は、フェース２ａとは反対側の意である。
【００３１】
前側部分１０ａは、フェース部２を含んだ部分である。本実施形態の前側部分１０ａは、フェース部２の全部と、フェース部２の周縁からヘッド後方に折り曲げられているフランジ部１３とを含んでいる。これにより、前側部分１０ａは、ヘッド後方に開口縁Ｏ１を有する略カップ状に形成されている。フランジ部１３は、クラウン部３、ソール部４、サイド部５のトウ側及びサイド部５のヒール側の各前側部分を形成している。
【００３２】
図３には、ヘッド本体１０の後側部分１０ｂの斜視図が示されている。後側部分１０ｂは、前側部分１０ａよりもヘッド後側を構成している。後側部分１０ｂは、クラウン部３、ソール部４、サイド部５の各後側部分を形成している。これにより、後側部分１０ｂは、ヘッド前側に開口縁Ｏ２を有した略カップ状に形成されている。本実施形態では、ホーゼル部６は、後側部分１０ｂに含まれているが、特にこの態様に限定されるものではない。
【００３３】
図２に示されるように、前側部分１０ａと後側部分１０ｂとは、互いの開口縁Ｏ１、Ｏ２とを向きあわせて、例えば、溶接により固着されている。前側部分１０ａ、後側部分１０ｂの形態は、一例であり、上記の態様に限定されるものではない。
【００３４】
錘部材１１は、ヘッド本体１０の中空部ｉに配されている。錘部材１１は、例えば、ヘッド本体１０よりも大きい比重を有した材料で構成されている。錘部材１１の材料は、ヘッド本体１０を構成する材料に応じて適宜選択され得る。錘部材１１の材料としては、特に制限はないが、例えば、ステンレス、チタン合金、銅合金又はタングステン合金、マレージング鋼等の金属材料が好適である。本発明の他の実施形態では、錘部材１１は、ヘッド本体１０と同一の材料で形成される。例えば、錘部材１１とヘッド本体１０とは、鋳造で一体に成形されても良い。この場合、錘部材１１は、ヘッド本体１０と同じ比重を有する。
【００３５】
図３に示したように、錘部材１１は、トウ・ヒール方向にのびている。トウ・ヒール方向にのびているとは、単に、トウ・ヒール方向に長さを有していることを意味している。従って、錘部材１１は、中空部ｉの中で最もトウ側から最もヒール側まで連続して全範囲をのびている必要はない。本実施形態の錘部材１１は、好ましい一形態として、トウ・ヒール方向に長い棒状のものが描かれている。
【００３６】
図２に示したように、スイートスポットＳＳを含むヘッド縦断面において、錘部材１１は、フェース部２及びソール部４と接触することなく設けられている。図２から明らかなように、錘部材１１とフェース部２との間、及び、錘部材１１とソール部４との間には、それぞれ前後方向及び上下方向の隙間が設けられている。これらの隙間は、ボール打撃時、ヘッド本体１０が変形したときでも両者の非接触の状態が確保されるように設定される。隙間は、好ましくは、３mm以上とされる。
【００３７】
本実施形態の錘部材１１は、クラウン部３及びサイド部５にも接触することなく設けられている。従って、上記ヘッド縦断面において、錘部材１１は、中空部ｉの中で、ヘッド本体１０と接触することなく独立して配置されている。
【００３８】
フェース２ａのスイートスポットＳＳでボールを打撃した場合、上記ヘッド縦断面において、フェース部２及びソール部４は、錘部材１１の制約を受けることなく撓むことができる。さらに、本実施形態では、クラウン部３及びサイド部５も、錘部材１１の制約を受けることなく柔軟に撓むことができる。従って、ボール打撃時、ヘッド１は、ヘッド本体１０を全体的にかつ効果的に撓ませ、優れた反発性能を発揮できる。よって、ヘッド１は、大きな飛距離を提供し得る。
【００３９】
図２のヘッド縦断面において、錘部材１１は、例えば、フェース部２とソール部４とがなすコーナ部側に寄せて設けられている。この実施形態では、錘部材１１は、ヘッド本体１０の前側部分１０ａの開口縁Ｏ１をフェース側に越えている部分を含んでいる。好ましい実施形態では、錘部材１１の横断面の図心ｇは、ヘッド重心Ｇよりもフェース部２側でかつソール部４側に位置している。さらに好ましい一態様では、錘部材１１の横断面の全部が、ヘッド重心Ｇよりもソール部４側に位置している。さらに好ましい一態様では、錘部材１１の横断面の全部が、ヘッド重心Ｇよりもフェース部２側に位置している。このようなヘッド１は、より低くかつフェース２ａに近い浅いヘッド重心Ｇを持つことができるので、例えば、上級者が好む弾道（低スピン量）を達成しうる。
【００４０】
図４には、後側部分１０ｂの正面図が示されている。錘部材１１は、実質的に、トウ・ヒール方向に連続してソール部４の内面４ｉから離れるように、ヘッド本体１０に固着されている。この実施形態では、錘部材１１のトウ側及びヒール側が、ヘッド本体１０に固定されている。この実施形態では、図２のヘッド縦断面だけではなく、トウ・ヒール方向により広い範囲で、錘部材１１がヘッド本体１０と離されているため、より一層、高い反発性能は発揮され得る。
【００４１】
錘部材１１は、ソール部４側を向く底面１５と、クラウン部３側を向く上面１６とを含んでいる。基準状態の正面視において、上面１６は、例えば、実質的にトウ・ヒール方向に沿って真っ直ぐにのびている。上面１６は、もちろん、傾いていても良いし、凹部や凸部が設けられても良い。錘部材１１の背面等の形状も、種々の形態が採用され得る。底面１５は、例えば、ソール部４側に向かって突出する湾曲面１７を含んでいる。これにより、本実施形態の錘部材１１の横断面（即ち、図２に示されているヘッド縦断面と平行な横断面）が、ヘッド本体１０とのトウ側接合位置及びヒール側接合位置から中央部（スイートスポットＳＳ）側に向かって大きくなっている。このような錘部材１１は、より低いヘッド重心Ｇを提供することができる。
【００４２】
この実施形態の錘部材１１は、トウ側の端部１１ａと、ヒール側の端部１１ｂとを有して、トウ・ヒール方向にのびている。錘部材１１のトウ側の端部１１ａは、サイド部５のトウ側の内面５ｔに固着されている。錘部材１１のヒール側の端部１１ｂは、サイド部５のヒール側の内面５ｈに固着されている。錘部材１１は、その各端部１１ａ、１１ｂ以外は、ヘッド本体１０と接触していない。
【００４３】
ソール部４とサイド部５との境界については、外観上、明瞭なエッジ又は曲率の著しい変化で区別しうる場合には、それらのエッジ又は曲率が変化している位置として区別され得る。これらの方法でもソール部４とサイド部５との境界が特定し得ない場合、ソール部４は、図２及び図４に示されるように、基準状態において、水平面ＨＰからの高さｈが４mm以内の範囲内の領域として、便宜的に定められる。
【００４４】
図４の実施形態では、錘部材１１の各端部１１ａ、１１ｂは、それぞれ溶接により固着されている。従って、錘部材１１とヘッド本体１０とのより強固な接合が提供され、耐久性に優れたヘッド１が得られる。
【００４５】
図５及び図６には、本発明の他の実施形態が示されている。
この実施形態では、錘部材１１の固着方法が、図１〜図４の実施形態と異なっている。錘部材１１は、ヘッド本体１０の後側部分１０ｂにネジ２２で固着されている。後側部分１０ｂのサイド部の５のトウ側及びヒール側には、それそれ、錘部材１１を取り付けるためのトウ側の取付部２０及びヒール側の取付部２１が設けられている。
【００４６】
トウ側の取付部２０は、錘部材１１のトウ側の端部１１ａを前側から挿入しうる溝２４と、錘部材１１にネジ２２を挿入するための孔２３とが設けられている。この孔２３は、トウ側の取付部２０を、例えば、トウ・ヒール方向にのびて貫通している。
【００４７】
ヒール側の取付部２１は、錘部材１１のヒール側の端部１１ｂを前側から挿入しうる溝２５と、錘部材１１にネジ２２を挿入するための孔２６とが設けられている。この孔２６は、ヒール側の取付部２１を、例えば、トウ・ヒール方向にのびて貫通している。
【００４８】
錘部材１１には、そのトウ側の端部１１ａ及びヒール側の端部１１ｂに、それぞれ、ネジ孔２７及び２８が設けられている。錘部材１１は、各取付部２０、２１の溝２４、２５に、前側から挿入される。これにより、錘部材１１が、ヘッド本体１０の後側部分１０ｂで仮保持される。次に、各孔２３、２６からそれぞれネジ２２が挿入され、錘部材１１のネジ孔２７、２８に固定される。図６には、錘部材１１が固定された状態の断面図が示されている。このように、本実施形態では、簡単な構成でヘッド１が製造され得る。
【００４９】
上記実施形態において、例えば、ネジには、ヘッド本体１０よりも大きな比重を有する材料が用いられても良い。これにより、ヘッド１のトウ及びヒール側に多くの質量が配分され、より大きな慣性モーメントを有するヘッド１を提供できる。
【００５０】
図７には、本発明のさらに他の実施形態が示されている。
この実施形態では、錘部材１１の固着方法が、図１〜図６の実施形態と異なっている。錘部材１１は、ヘッド本体１０のソール部４にネジで固着されている。後側部分１０ｂのソール部４には、錘部材１１を取り付けるためのトウ側の取付部３１及びヒール側の取付部３２が設けられている。
【００５１】
トウ側の取付部３１は、ヘッド外面４０を局部的に凹ませることにより、中空部ｉ内に突出する凸部として形成されている。この凸部は、錘部材１１のトウ側の端部１１ａを下側から支えている。同様に、ヒール側の取付部３２は、ヘッド外面４０を局部的に凹ませることにより、中空部ｉ内に突出する凸部として形成されている。この凸部は、錘部材１１のヒール側の端部１１ｂを下側から支えている。これにより、錘部材１１は、トウ側の取付部３１とヒール側の取付部３２とで支持され、これらの間では、ソール部４の内面と接触することがない。
【００５２】
トウ側の取付部３１及びヒール側の取付部３２には、それぞれ、貫通する孔３３及び３６が形成されている。錘部材１１には、各孔３３、３６に連続するように、ネジ穴３４、３７が形成されている。ネジ３５、３８は、例えば、ソール部４の外面側からそれぞれ孔３３、３６を通って、ネジ穴３４、３７に固着される。
【００５３】
この実施形態では、錘部材１１はソール部４に固着されるが、上記したヘッド縦断面Ａを含む広い範囲で、錘部材１１をヘッド本体１０から離間させることができるので、前記実施形態と同様の作用が期待され得る。特に好ましい実施形態では、ヘッド正面視において、錘部材１１がヘッド本体１０と離間している領域の水平面ＨＰに沿った長さＷは、例えば、ヘッド幅の３５％以上、好ましくは４０％以上、さらに好ましくは５０％以上である。ヘッド幅は、基準状態のヘッドの正面視において、最もトウ側に突出したトウ側端位置と、水平面から２２．２３mmの高さの位置のヒール点との間の水平方向距離である。
【００５４】
図９には、本発明の他の実施形態のヘッドを構成するヘッド本体１０の一部が示されている。以後の実施形態の説明で述べられていないヘッドの構成要素については、上で説明された実施形態の全ての構成要素が転用可能である。
【００５５】
この実施形態のヘッドは、錘部材１１のヘッド前後方向の位置を変えるための調節手段として、第１調節手段５０を含んでいる。
【００５６】
第１調節手段５０は、例えば、ヘッド本体１０に設けられたヘッド前後方向にのびる第１スロット５１と、第１スロット５１を通して錘部材１１を所定の位置でヘッド本体１０に固定するためのネジ５２とを含んでいる。
【００５７】
この実施形態において、第１スロット５１は、サイド部５に設けられている。好ましくは、第１スロット５１は、サイド部５のトウ側に設けられたトウ側の第１スロット５１ａと、サイド部５のヒール側に設けられたヒール側の第１スロット５１ｂとを含んでいる。各スロット５１ａ及び５１ｂは、実質的に水平にのびている。
【００５８】
ネジ５２は、第１スロット５１の幅よりも小さい径を有するネジ軸部５２ａと、第１スロット５１の幅よりも大きい径を有する頭部５２ｂとを有する。従って、ネジ５２は、例えば、ヘッド本体１０の外方から、第１スロット５１を通り、錘部材１１のネジ孔２７、２８に挿入され得る。この実施形態では、トウ側の第１スロット５１ａから、ネジ５２が、錘部材１１のトウ側のネジ孔２７にねじ込まれ、ヒール側の第１スロット５１ｂから、ネジ５２が、錘部材１１のヒール側のネジ孔２８にねじ込まれる。これにより、例えば、ネジ５２の頭部５２ｂとヘッド本体１０との摩擦により、錘部材１１がヘッド本体１０の任意の位置で固定される。この際、錘部材１１は、ヘッド本体１０のソール部４の内面とは、接触することなく固定され得る。
【００５９】
錘部材１１のヘッド前後方向の位置を変える場合、ネジ５２の一方が、例えば、錘部材１１から完全に離脱させることなく緩められる。その後、調節者は、両側のネジ５２を、第１スロット５１に沿って前後に移動させることができる。これにより、ヘッド本体１０の内部にある錘部材１１は、ネジ５２とともに、第１スロット５１に沿って前後に移動することができる。錘部材１１が好ましい位置へ移動させられた後、ネジ５２は、再び、錘部材１１にきつく締め付けられ、錘部材１１がヘッド本体１０に固定される。これにより、ヘッド重心が、前後方向に調節される。
【００６０】
第１調節手段５０は、錘部材１１のヘッド前後方向の位置を調節することができるものであれば、それらのあらゆる態様を含み、上記具体的な例示に限定されるものではない。さらに、好ましい態様として、錘部材１１の位置が調整された後、第１スロット５１は、着脱可能なカバー等で塞がれても良い。
【００６１】
この実施形態に代えて、又は、この実施形態とともに、ヘッド１は、調節手段として、錘部材１１のヘッド上下方向の位置を変えるための第２調節手段６０を含んでも良い。
【００６２】
第２調節手段６０は、例えば、ヘッド本体１０に設けられたヘッド上下方向にのびる第２スロット６１と、第２スロット６１を通して錘部材１１を所定の位置でヘッド本体１０に固定するためのネジ６２とを含んでいる。このネジ６２は、第１調節手段５０のネジ５２と兼用されている。
【００６３】
この実施形態において、第２スロット６１は、サイド部５に設けられている。好ましくは、第２スロット６１は、サイド部５のトウ側に設けられた少なくとも１本のトウ側の第２スロット６１ａと、サイド部５のヒール側に設けられた少なくとも１本のヒール側の第２スロット６１ｂとを含んでいる。この実施形態では、トウ側の第２スロット６１ａ及びヒール側の第２スロット６１ｂは、それぞれ複数本設けられている。
【００６４】
このような実施形態では、錘部材１１のヘッド上下方向の位置を変える場合、ネジ６２の一方が、例えば、錘部材１１から完全に離脱させることなく緩められる。その後、調節者は、両側のネジ６２を、第２スロット６１に沿って上下に移動させることができる（図９のＡ−Ａ断面図である図１０を参照）。これにより、ヘッド本体１０の内部にある錘部材１１は、ネジ６２とともに、第２スロット６１に沿って上下に移動することができる。錘部材１１が好ましい位置へ移動させられた後、ネジ６２は、再び、錘部材１１にしっかりと締め付けられ、錘部材１１は、ヘッド本体１０に固定される。これにより、ヘッド重心が、ヘッド上下方向に調節される。
【００６５】
好ましい態様では、第２スロット６１は、第１スロット５１と交差してのびている。このような実施形態では、錘部材１１は、ヘッド前後方向及びヘッド上下方向の２方向に関して位置を変えることが可能である。これにより、ヘッド重心もヘッド前後方向及びヘッド上下方向に調節され得る。
【００６６】
第２調節手段６０は、錘部材１１のヘッド上下方向の位置を調節することができるものであれば、あらゆる態様を含み、上記具体的な例示に限定されるものではない。また、上記実施形態では、第２調節手段６０は、第１調節手段５０と一緒に設けられているが、第２調節手段６０のみが設けられても良い。さらに、好ましい態様として、錘部材１１の位置が調整された後、第２スロット６１は、着脱可能なカバー等で塞がれても良い。
【００６７】
図１１には、本発明の他の実施形態のヘッド本体１０の一部分が示されている。この実施形態では、ヘッドは、錘部材１１の調節手段として、トウ・ヒール方向の位置を変えるための第３調節手段７０を含んでいる。
【００６８】
第３調節手段７０は、例えば、ヘッド本体１０に設けられたトウ・ヒール方向にのびる第３スロット７１と、第３スロット７１を通して錘部材１１を所定の位置でヘッド本体１０に固定するためのネジ７２とを含んでいる。
【００６９】
この実施形態において、第３スロット７１は、ソール部４に設けられている。好ましくは、第３スロット７１は、ソール部４のトウ側に設けられた少なくとも一つのトウ側の第３スロット７１ａと、ソール部４のヒール側に設けられた少なくとも一つのヒール側の第３スロット７１ｂとを含んでいる。本実施形態では、各スロット７１ａ、７１ｂは、ソール部４を局部的に隆起させた凸部７３、７３の上に設けられている。凸部７３、７３の間には、凸部７３の上面よりも低く位置するソール中央部がある。
【００７０】
ネジ７２は、第３スロット７１の幅よりも小さい径を有するネジ軸部７２ａと、第３スロット７１の幅よりも大きい径を有する頭部７２ｂとを有する。従って、ネジ７２は、例えば、ヘッド本体１０の外方から、第３スロット７１を通り、錘部材１１のネジ孔７５に挿入され得る。この実施形態では、トウ側の第３スロット７１ａから、ネジ７２が、錘部材１１のトウ側のネジ孔７５にねじ込まれ、ヒール側の第３スロット７１ｂから、ネジ７２が、錘部材１１のヒール側のネジ孔７５にねじ込まれる。これにより、ネジ７２と錘部材１１との間でヘッド本体１０を保持し、錘部材１１がヘッド本体１０の任意の位置で固定される。この際、錘部材１１は、少なくとも、スイートスポットを含むヘッド縦断面では、ヘッド本体１０と接触しない。
【００７１】
このような実施形態では、錘部材１１のトウ・ヒール方向の位置を変える場合、ネジ７２の両方が、例えば、錘部材１１から完全に離脱させることなく緩められる。その後、調節者は、両側のネジ７２を、第３スロット７１に沿ってトウ・ヒール方向に移動させることができる（図１１のＡ−Ａ断面図である図１２を参照）。これにより、ヘッド本体１０の内部にある錘部材１１は、ネジ７２とともに、第３スロット７１に沿って上下に移動することができる。錘部材１１が好ましい位置へ移動させられた後、ネジ７２は、再び、錘部材１１にしっかりと締め付けられ、錘部材１１は、ヘッド本体１０に固定される。これにより、ヘッド重心が、トウ・ヒール方向に調節される。
【００７２】
図１１に示されるように、この実施形態では、第３調節手段７０に加えて、第１調節手段５０が設けられている。ここで示されている第１調節手段５０は、ソール部４に設けられたヘッド前後方向にのびる第１スロット５１と、第１スロット５１を通して錘部材１１を所定の位置でヘッド本体１０に固定するためのネジとを含んでいる。このネジは、第３調節手段７０のネジ７２と兼用され得る。
【００７３】
第１スロット５１は、第３スロット７１と交差している。このような実施形態では、錘部材１１の位置は、ヘッド前後方向及びトウ・ヒール方向の２方向で、変えることができる。これにより、ヘッド重心もヘッド前後方向及びトウ・ヒール方向に調節され得る。
【００７４】
第３調節手段７０は、錘部材１１のトウ・ヒール方向の位置を調節することができるものであれば、あらゆる態様を含み、上記具体的な例示に限定されるものではない。また、上記実施形態では、第３調節手段７０は、第１調節手段５０と一緒に設けられているが、第３調節手段７０のみが設けられても良い。さらに、好ましい態様として、錘部材１１の位置が調整された後、第３スロット７１は、着脱可能なカバー等で塞がれても良い。
【００７５】
以上、本発明のいくつかの実施形態が詳細に説明されたが、本発明は、上記の具体的な実施形態に限定されるものでなく、種々の態様に変更して実施される。例えば、ソール部４に、上下方向の軸を中心とする円弧状のスロットが設けられても良い。この場合、錘部材は、前記上下方向の軸周りに回転移動させることもできる。
【実施例】
【００７６】
ウッド型のヘッドが、表１の仕様に基づき試作され、各ヘッドの反発性能とヘッド重心の位置とがテストされた。比較例は、図８に示されるように、錘部材１１がソール部４の内面から立ち上がっているものとした。実施例及び比較例を通して、各ヘッドは、錘部材以外については、同一の構造が採用されている。各ヘッドの主要な共通仕様は、以下の通りである。
【００７７】
ヘッド本体の前側部分の材料：CUSTOM455
ヘッド本体の前側部分の比重：7.80
ヘッド本体の後側部分の材料：CUSTOM450
ヘッド本体の後側部分の比重：7.83
錘部材の材料：CUSTOM450
錘部材の比重：7.83
錘部材の質量：53g
テスト方法は、次の通りである。
【００７８】
＜反発性能＞
U.S.G.A.の Procedure for Measuring the Velocity Ratio of a Club Head for Conformance to Rule 4-1e, Revision 2 (February 8, 1999) に準拠し、フェースのセンターでの反発係数が求められた。結果は、比較例を１００とする指数で示されている。数値が大きい程、良好である。なお、フェースのセンターは、フェース領域内の点であり、その点からフェースの最もトウ側の位置までの水平長さと、その点からフェースの最もヒール側の位置までの水平長さとが等しく、かつ、その点から、フェースの最も上側の位置までの上下方向長さと、その点から最もフェースの下側の位置までの上下方向長さとが等しくなるという条件を満たすものとして定義される。
【００７９】
＜ヘッド重心位置等＞
基準状態において、フェースのスイートスポットとヘッド重心とをつなぐ直線の距離である重心深さと、水平面からスイートスポットまでの垂直距離であるスイートスポット高さとが測定された。さらに、ヘッド重心を通りトウ・ヒール方向にのびる水平軸回りの慣性モーメントが測定された。
【００８０】
＜スピン量＞
上記反発性能テストにおいて、打ち出された直後の打球のスピン量が測定された。数値が小さいほど好ましい。
テストの結果は、表１に示されている。
【００８１】
【表１】
2015062667.tif 000003
【００８２】
テストの結果、実施例のヘッドは、比較例のヘッドに比べて、ヘッド重心を低くかつ浅く維持しながら、優れた反発性能を発揮していることが確認できた。これにより、打球のスピン量も低減していることが確認できた。
【符号の説明】
【００８３】
１  ゴルフクラブヘッド
２  フェース部
３  クラウン部
４  ソール部
１０  ヘッド本体
１１  錘部材
１１ａ  トウ側の端部
１１ｂ  ヒール側の端部
ｉ  中空部
ＳＳ  スイートスポット
【図１】
2015062667.tif 000004
【図２】
2015062667.tif 000005
【図３】
2015062667.tif 000006
【図４】
2015062667.tif 000007
【図５】
2015062667.tif 000008
【図６】
2015062667.tif 000009
【図７】
2015062667.tif 000010
【図８】
2015062667.tif 000011
【図９】
2015062667.tif 000012
【図１０】
2015062667.tif 000013
【図１１】
2015062667.tif 000014
【図１２】
2015062667.tif 000015